(57)【要約】【課題】直流電源と交流電源との双方に共用でき、一方の端子部が使用されているとき、他方の端子部が使用されるおそれなく危険防止を図ること。【解決手段】ケース２と、そのケース２の側面に摺動可能に取り付けられたスライドカバー１０とを備える。スライドカバー１０がケース２の開口部５上で摺動したとき、ケース２から脱落するのを防ぐ脱落防止機構が備えられ、脱落防止機構は、上ケース部４におけるスライドカバー１０との摺動経路上に突設された第１凸条部４２及び第２凸条部４３からなる凸条部と、スライドカバー１０の内面に突設された突起１４，１５とからなっている。【選択図】　図３
2004006189.tif 000002
【特許請求の範囲】
【請求項１】
一方の側面に開口部を有するケースと、該ケースの開口部にそれぞれ外方に露出して設置された第１，第２端子部と、ケースの前記開口部に第１端子部と第２端子部間に沿って摺動可能に取り付けられたスライドカバーとを備え、
かつ該スライドカバーは、第１端子部と第２端子部とのいずれか一方に摺動したとき、その一方の端子部を覆うと共に、その他方の端子部を開放させることを特徴とする電源アダプタ。
【請求項２】
請求項１記載の電源アダプタにおいて、
前記スライドカバー及びケース間に、スライドカバーがケースから脱落するのを防ぐ脱落防止機構を備えることを特徴とする電源アダプタ。
【請求項３】
請求項２記載の電源アダプタにおいて、
前記脱落防止機構は、ケースにおけるスライドカバーの摺動経路上にケースの幅方向に沿って突設された凸条部と、スライドカバーの内面に突設され、凸条部によって案内される突起が設けられていることを特徴とする電源アダプタ。
【請求項４】
請求項１または２記載の電源アダプタにおいて、
前記スライドカバー及びケース間に、スライドカバーが第１端子部と第２端子部とのいずれかを覆ったとき、その位置でスライドカバーを位置決め停止させるロック機構を備えることを特徴とする電源アダプタ。
【請求項５】
請求項４記載の電源アダプタにおいて、
前記ロック機構は、ケースのスライドカバーの摺動経路に突設されたストッパーと、スライドカバーの内面に突設され、かつ前記ストッパーと係合する係合突起とからなることを特徴とする電源アダプタ。
【請求項６】
請求項１〜５記載の電源アダプタにおいて、
前記第１端子部と第２端子部とは、いずれか一方が直流端子部であると共に、その他方が交流端子部であることを特徴とする電源アダプタ。
【発明の詳細な説明】
【０００１】
【発明の属する技術分野】
本発明は、電源アダプタに係り、特に交流電源と直流電源との二系統の入力に対して使用するのに好適な技術に関するものである。
【０００２】
【従来の技術】
電源アダプタは、一般に、一種類の電源電圧からの入力に対して機能するものが一般的であるが、中には、例えば交流電源であっても、１００Ｖ〜２２０Ｖ程度のように入力電圧が異なるものにも対処できるワイド入力仕様のものがある。
【０００３】
【発明が解決しようとする課題】
ところで、直流電源と商用交流電源との双方の入力に対して使用できる電源アダプタが要請されている。
しかしながら、そのように、交流と直流との双方の電源に対して共用できる電源アダプタを製作したとき、交流と直流とのいずれか一方の電源が使用された場合、他方の電源の電源も同時に使用されてしまうと、電源アダプタが破壊されるおそれがあるばかりでなく、供給する電源側及び使用される製品の双方も破壊される危険性があるので、それを回避する必要があった。
また、一方の端子が使用されている場合、他方の端子部も露出して使用可能な状態にあると、その使用していない端子部に手などが触れてしまい、感電する等の危険性もあった。
【０００４】
従って、双方の電源に対して共用できる電源アダプタを製作する場合、一方の端子部が使用されているとき、他方の端子部が使用されることのないように配慮すると共に、感電等が起きないように配慮する必要があった。
【０００５】
本発明は、上記従来技術の問題点に鑑み、その目的とするところは、直流電源と交流電源との双方に共用することができると共に、一方の端子部が使用されているとき、他方の端子部が使用されるおそれがないばかりでなく、他方の端子部で感電する等の危険防止を図ることができる安全性の高い電源アダプタを提供することにある。
【０００６】
【課題を解決するための手段】
上記課題を解決するために本発明においては、以下の手段を採用した。
請求項１に係る発明は、一方の側面に開口部を有するケースと、該ケースの開口部にそれぞれ外方に露出して設置された第１，第２端子部と、ケースの前記開口部に第１端子部と第２端子部間に沿って摺動可能に取り付けられたスライドカバーとを備え、かつ該スライドカバーは、第１端子部と第２端子部とのいずれか一方に摺動したとき、その一方の端子部を覆うと共に、その他方の端子部を開放させることを特徴とする。
【０００７】
この発明に係る電源アダプタによれば、スライドカバーが一方の端子部を覆ったとき、他方の端子部を開放し、また他方の端子部を覆ったとき、一方の端子部のみを開放するので、必ず開放されたいずれかの端子部のみだけを使用することができ、一方の端子部が使用されているときに、他方の端子部が使用されるのを確実に防ぐことができ、危険が発生するのを回避できることで安全性を高めることができる。
【０００８】
請求項２に係る発明は、請求項１記載の電源アダプタにおいて、前記スライドカバー及びケース間に、スライドカバーがケースから脱落するのを防ぐ脱落防止機構を備えることを特徴とする。
【０００９】
この発明に係る電源アダプタによれば、脱落防止機構によってスライドカバーがケースから脱落しないので、使用されていないいずれかの端子部のみを確実に覆うことができ、従って、電源アダプタとしての信頼性を高めることができる。
【００１０】
請求項３に係る発明は、請求項２記載の電源アダプタにおいて、前記脱落防止機構は、ケースにおけるスライドカバーの摺動経路上にケースの幅方向に沿って突設された凸条部と、スライドカバーの内面に突設され、凸条部によって案内される突起が設けられていることを特徴とする。
【００１１】
この発明に係る電源アダプタによれば、ケースに突設された凸条部により、スライドカバーに設けられた突起が案内されることで、スライドカバーがケースの開口部を摺動するので、スライドカバーを的確に摺動させることができる。
【００１２】
請求項４に係る発明は、請求項１または２記載の電源アダプタにおいて、前記スライドカバー及びケース間に、スライドカバーが第１端子部と第２端子部とのいずれかを覆ったとき、その位置でスライドカバーを位置決め停止させるロック機構を備えることを特徴とする。
【００１３】
この発明に係る電源アダプタによれば、第１端子部と第２端子部のいずれかを覆ったとき、その位置にてロック機構がスライドカバーを位置決め停止させるので、スライドカバーがケース上で不用意に摺動することがない。
【００１４】
請求項５に係る発明は、請求項４記載の電源アダプタにおいて、前記ロック機構は、ケースのスライドカバーの摺動経路に突設されたストッパーと、スライドカバーの内面に突設され、かつ前記ストッパーと係合する係合突起とからなることを特徴とする。
【００１５】
この発明に係る電源アダプタによれば、ロック機構の突起が、ケースに突設されたストッパーと係合することで、ケースにスライドカバーを位置決め停止させるので、スライドカバーをケースの摺動経路上に確実にロックしておくことができる。
【００１６】
請求項６に係る発明は、請求項１〜５記載の電源アダプタにおいて、前記第１端子部と第２端子部とは、いずれか一方が直流端子部であると共に、その他方が交流端子部であることを特徴とする。
この発明に係る電源アダプタによれば、第１端子部と第２端子部とのいずれか一方が直流端子部を、かつ他方が交流端子部をそれぞれ構成するので、直流電源と交流電源との双方を使用することができ、直流と交流との電源を共用できる電源アダプタを提供できる。
【００１７】
【発明の実施の形態】
以下、本発明の実施の形態を、図面に基づいて説明する。図１〜図６は本発明の一実施の形態に係る電源アダプタを示し、図１は交流電源が使用可能な状態を示す全体斜視図、図２は同じく直流電源が使用可能な状態を示す全体斜視図、図３はケースとスライドカバーとを示す分解説斜視図、図４はケースとスライドカバーとの取り付け状態を示す図１のＸ−Ｘ線に相当する拡大断面図、図５はケースにスライドカバーを位置決め固定した状態を示す図１のＹ−Ｙ線に相当する断面図、図６はケースにスライドカバーを位置決め固定した状態を示す図２のＺ−Ｚ線に相当する断面図である。
図１及び図２に示す実施形態の電源アダプタ１は、ケース２と、そのケース２の背面に摺動可能に取り付けられたスライドカバー１０とを備えている。
【００１８】
ケース２は、絶縁性を有する合成樹脂製のものであって、下ケース部３とその上に取り付けられた上ケース部４とからなり、これら下，上ケース部３，４の両背面に開口部５が設けられている。開口部５は、図３に示すように、下ケース３及び上ケース４の背面に長孔形状の切欠５ａが形成されると共に、その切欠５ａと隣り合う右側に矩形状の空間５ｂが設けられ、これら切欠５ａと空間５ｂとによって構成されている。
【００１９】
そして、ケース２の開口部５には、商用交流電源を供給するための第１端子部としての交流端子部６と、直流電源を供給するための第２端子部としての直流端子部７とが外方に露出して設置されている。交流端子部６は、開口部５の切欠５ａ中に設置されてあって、使用される製品のプラグ（図示せず）を差し込む、いわゆるインレットからなっている。直流端子部７は、開口部５の空間５ｂ内に設置されてあって、使用される製品のリード線（図示せず）をねじ７ａによって止着できるように構成されている。
【００２０】
スライドカバー１０は、図１及び図２に示すように、ケース２の開口部５に直流端子部３と交流端子部４間で摺動可能に取り付けられている。
【００２１】
詳しく述べると、スライドカバー１０は、図３（ｂ）のように、上壁１１ａと後壁１１ｂとによってＬ字状の本体１１が形成され、その本体１１の上壁１１ａの先端両側に上摺動爪１２，１２がそれぞれ突設されると共に、後壁１１ｂの先端両側に下摺動爪１３，１３がそれぞれ突設されている。ケース２は、図３（ａ）に示すように、上ケース４の上面の後部にケースの幅方向に沿って上ガイド溝４１が形成されると共に、下ケース３の背面の下部にケースの幅方向に沿って下ガイド溝３１が設けられている。
【００２２】
上ガイド溝４１は、図４に示すように、上ケース４の後部の上壁４ａと、この上壁４ａの下方に段差をもって形成された下部段差部４ｂとの間に前方に凹んで形成されている。下ガイド溝３１は、下ケース３の背面の下部に上方に起立して形成された起立壁３ａと、その起立壁３ａの内側にスライドカバー１０の板厚より若干大きな寸法を隔てて配置されると共に、下部段差部４ｂの下方に向かう先端と当接するように起立形成された内側壁３ｂとの間に凹んで形成されている。
【００２３】
そして、スライドカバー１０の上摺動爪１２が上ケース４の上ガイド溝４１に摺動可能に差し込まれる一方、下摺動爪１３が下ケース３の下ガイド溝３１に摺動可能に差し込まれたとき、これら上，下摺動爪１２，１３の各々が対応する上，下ガイド溝４１，３１内を移動することにより、スライドカバー１０がケース２の開口部５において交流端子部６と直流端子部７間で摺動するようになっている。
【００２４】
その際、スライドカバー１０は、ケース２の開口部５上で図１に示す矢印ａのように直流端子部７側に摺動すると、その直流端子部７を覆って交流端子部６を開放させる一方、図２に示す矢印ｂのように交流端子部６側に摺動したとき、該交流端子部６を覆って直流端子部７を開放させるようになっている。つまり、スライドカバー１０は、交流端子部６と直流端子部７との何れか一方を覆ったとき、その他方を開放させるようになっている。
【００２５】
更に、電源アダプタ１には、スライドカバー１０がケース２の開口部５上で摺動したとき、ケース２から脱落するのを防ぐ脱落防止機構（符示せず）が備えられている。該脱落防止機構は、図３（ａ），図５及び図６に示すように、上ケース部４におけるスライドカバー１０との摺動経路上に突設された第１凸条部４２及び第２凸条部４３からなる凸条部（符示せず）と、スライドカバー１０の内面に突設された突起１４，１５とからなっている。
【００２６】
前記凸条部における第１凸条部４２は、上ケース部４の下部段差部４ｂの上面の交流端子部６寄りの位置に交流端子部６の幅と略同程度の長さの寸法でケース２の幅方向に沿って形成され、第２凸条部４３は、下部段差部４ｂの背面における交流端子部６及び直流端子部７間の位置にケース２の幅方向に沿って突設されている。突起１４は、図３（ｂ）のように、スライドカバー１０においてその上壁１１ａの内面に幅方向に沿って突設され、突起１５はその後壁１１ｂの内面に幅方向に沿って突設されている。
【００２７】
そして、スライドカバー１０がケース２の開口部５に取り付けられ、かつ開口部５内で直流端子部７と交流端子部６との間を摺動するとき、突起１４が図４のように第１凸条部４２に案内されると共に、突起１５が第２凸条部４３の下部側に案内されることにより、スライドカバー１０がケース２から脱落するのを防止できるようになっている。
その際、スライドカバー１０の突起１４が第１凸条部４２の前端に案内されると共に、突起１５が第２凸条部４３の下端に案内されることにより、スライドカバー１０が上方に浮き上がったりまた下がったりすることなく、その姿勢のままで摺動することでケース２から脱落しないようになっている。
【００２８】
また更に、電源アダプタ１には、スライドカバー１０がケース２の開口部５上で摺動し、交流端子部６と直流端子部７との何れかを覆ったとき、その覆ったその位置にてスライドカバー１０を位置決め停止されるロック機構（符示せず）が備えられている。
該ロック機構は、ケース２においてスライドカバー１０の摺動経路上に突設されたストッパー４４と、このストッパー４４と係合するようスライドカバー１０に突設された係合突起１６，１７とからなっている。
【００２９】
即ち、ストッパー４４は、図３（ａ），図５，図６に示すように上ケース４の下部段差部４ｂの中央部分の位置に上方に突出して形成されている。係合突起１６，１７は、スライドカバー１０の上壁１１ａの内側の両端部に、図３（ｂ）のようにその幅方向と直交方向で、しかも下方にそれぞれ垂下して突設されている。
【００３０】
そして、スライドカバー１０がケース２の開口部５上で図５に示す矢印ｃのように、直流端子部７側から交流端子部６側に摺動するとき、スライドカバー１０の係合突起１７がストッパー４４を乗り越えることでスライドカバー１０が摺動すると共に、スライドカバー１０の係合突起１６もストッパー４４を乗り越えて交流端子部６側に摺動し、しかもスライドカバー１０の一端部が開口部５の一端に突き当たることで、スライドカバー１０が交流端子部６を覆った状態で位置決め固定されるようになっている。
【００３１】
一方、スライドカバー１０がその位置から図６に示す矢印ｄのような反対方向に摺動するとき、係合突起１６がストッパー４４を乗り越えることでスライドカバー１０が直流端子部７側に摺動すると共に、係合突起１７もストッパー４４を乗り越えて摺動し、しかもスライドカバー１０の他端部が開口部５の他端に突き当たることで、スライドカバー１０が直流端子部６を覆った位置で位置決め固定されるようになっている。
【００３２】
この実施形態の電源アダプタ１は、上記のように構成されているので、次にその取り扱いについて説明する。
まず、図示しない商用電源を使用する場合には、ケース２に取り付けられているスライドカバー１０を直流端子部７側に摺動させて交流端子部６を開放させる。
その際、ケース２の開口部５においてスライドカバー１０の他端が、開口部５を形成する端部に突き当たるまで直流端子部７側に摺動させると、その摺動に伴って係合突起１６が上ケース部４のストッパー４４を乗り越え、ストッパー４４によって係合突起１６が係止されるので、スライドカバー１０は、交流端子部６を開放させた位置にて位置決め停止されたこととなる。
【００３３】
この状態にあるとき、交流端子部６に図示しない交流製品のプラグが差し込まれると共に、電源アダプタ１のプラグ８が交流電源に差し込まれることで、交流製品に交流電源が供給可能になる。
【００３４】
一方、図示しない直流電源を使用する場合には、スライドカバー１０を直流端子部７側から交流端子部６側に摺動させて直流端子部７を開放させる。
その際、ケース２の開口部５において、スライドカバー１０の一端がケース２の開口部５を形成する端部に突き当たるまで交流端子部６側に摺動させると、その摺動に伴って係合突起１７が上ケース部４のストッパー４４を乗り越え、ストッパー４４によって係合突起１７が係止されるので、スライドカバー１０は、交流端子部６を開放させた位置にて位置決め停止されたこととなる。
【００３５】
この状態にあるとき、直流端子部７に図示しない直流製品のリード線がねじ７ａによって止着されると共に、電源アダプタ１のプラグ８が直流電源に差し込まれることで、直流製品に直流電源が供給可能になる。
【００３６】
この実施形態によれば、スライドカバー１０が交流端子部６を覆ったとき、直流端子部７を開放し、また直流端子部７を覆ったとき、交流端子部６を開放するので、開放されているいずれかの一方の端子部６，７だけを使用することができるように構成したので、一方の端子部が使用されているときに、他方の端子部が使用されるのを確実に防ぐことができ、これによって、危険が発生するのを回避できることで安全性を高めることができる。
【００３７】
また、スライドカバー及びケース間に設けられた脱落防止機構により、スライドカバー１０がケース２から脱落しないので、使用されていないいずれかの端子部のみを確実に覆うことができ、従って、電源アダプタ１としての信頼性を高めることができる。
【００３８】
しかも、脱落防止機構は、ケース２においてスライドカバー１０の摺動経路５上に第１凸条部４２と第２凸条部４３がそれぞれ突設されると共に、スライドカバー１０の内面に突起１４，１５が設けられ、第１凸条部４２と第２凸条部４３とによって突起１４，１５が案内されることで、スライドカバー１０がケース２の開口部５を摺動するので、スライドカバー１０を的確に摺動させることができる。
【００３９】
更に、スライドカバー１０及びケース２間に、スライドカバー１０が交流端子部６と直流端子部７とのいずれかを覆ったとき、その位置でスライドカバー１０を位置決め停止させるロック機構を備え、ロック機構によってスライドカバー１０をその位置で位置決め停止させるので、スライドカバー１０がケース２上で不用意に摺動することがない。
【００４０】
しかも、ロック機構は、ケース２のスライドカバー１０の摺動経路に突設されたストッパー４４と、スライドカバー１０の内面に突設された係合突起１６，１７とからなり、これら係合突起１６，１７が、ケース２のストッパー４４と係合することで、ケース２にスライドカバー１０を位置決め停止させるので、スライドカバー１０をケース２の摺動経路上に確実にロックしておくことができる。
【００４１】
そして、交流端子部６と直流端子部７とを構成するので、直流電源と交流電源との双方を使用することができ、直流と交流との電源を共用できる電源アダプタ１を提供できる。
【００４２】
なお、図示実施形態では、ケース２の側面から見たとき、左側に交流端子部６が、かつ右側に直流端子部７が設けられた例を示したが、逆に設けてもよいのは勿論である。
また、スライドカバー１０は、薄肉の合成樹脂製であるので、強度を上げるため、例えば図３（ｂ）に示す鎖線のように、内側のコーナー部に補強リブ１８を設けてもよい。この場合、補強リブ１８としては、スライドカバー１０の摺動を妨げない程度の大きさにするのは当然である。
【００４３】
【発明の効果】
以上説明したように、本発明によれば、スライドカバーが第１端子部と第２端子部とのいずれか一方を覆ったときに他方を開放し、また他方を覆ったとき、一方を開放し、開放されているいずれかの一方の端子部だけを使用することができるように構成したので、直流電源と交流電源との双方に共用することができると共に、一方の端子部が使用されているとき、他方の端子部が使用されるおそれがないばかりでなく、他方の端子部で感電する等の危険防止を図ることができる安全性の高い電源アダプタを提供できる効果を得ることができる。
【図面の簡単な説明】
【図１】本発明の一実施の形態に係る電源アダプタを示す図であって、交流電源が使用可能な状態を示す全体斜視図である。
【図２】同じく直流電源が使用可能な状態を示す全体斜視図である。
【図３】ケースとスライドカバーとを示す分解説斜視図である。
【図４】
ケースとスライドカバーとの取り付け状態を示す図１のＸ−Ｘ線に相当する拡
大断面図である。
【図５】
ケースにスライドカバーを位置決め固定した状態を示す図１のＹ−Ｙ線に相当
する断面図である。
【図６】
ケースにスライドカバーを位置決め固定した状態を示す図２のＺ−Ｚ線に相当
する断面図である。
【符号の説明】
１　電源アダプタ
２　ケース
３　下ケース部
３１　下ガイド溝
４　上ケース部
４１　上ガイド溝
４２　第１凸条部（凸条部）
４３　第２凸条部（凸条部）
４４　ストッパー
５　開口部
６　交流端子部（第１端子部）
７　直流端子部（第２端子部）
９　コード
１０　スライドカバー
１２　上摺動爪
１３　下摺動爪
１４，１５　突起
１６，１７　係合突起
【図１】
2004006189.tif 000003
【図２】
2004006189.tif 000004
【図３】
2004006189.tif 000005
【図４】
2004006189.tif 000006
【図５】
2004006189.tif 000007
【図６】
2004006189.tif 000008